(57)【要約】      （修正有）【課題】収納棚への取付け作業が容易なテレビ取付装置、およびこれを備えた収納棚の提供。【解決手段】回動アーム支持機構ａに回動アームｂを左右回動自在にして取り付けるとともに、左右回転および起伏傾動自在な薄型テレビ固定用ブラケット２１をスライダ１８に取り付けた薄型テレビ支持機構ｃを、上記スライダ１８のレール１８ｂ，１８ｂを上記回動アームｂに係合させて、その回動アームｂに対し前後摺動自在に取り付けてなるテレビ取付装置。  テレビ取付空間の上方にテレビ支持板を支持してなる収納棚に、請求項１，２，３または４記載のテレビ取付装置Ａを、上記テレビ支持板に上記回動アーム支持機構ａを固定することにより取り付けた、テレビ取付装置を備えた収納棚。【選択図】図１
2007209622.tif 000002
【特許請求の範囲】
【請求項１】
回動アーム支持機構（ａ）に回動アーム（ｂ）を左右回動自在にして取り付けるとともに、左右回転および起伏傾動自在な薄型テレビ固定用ブラケット（２１）をスライダ（１８）に取り付けた薄型テレビ支持機構（ｃ）を、上記スライダ（１８）のレール（１８ｂ，１８ｂ）を上記回動アーム（ｂ）に係合させて、その回動アーム（ｂ）に対し前後摺動自在に取り付けてなることを特徴とするテレビ取付装置。
【請求項２】
<i> 軸受部（１）とその前方に連設され左右後方へ湾曲しながら延びる円弧部（３）とを有する回動アーム支持機構（ａ）の取付板（４）と、
<ii> 上記取付板（４）に上記軸受部（１）を支点に左右回動自在にして取り付けられ、かつ、上記円弧部（３）に係合する係合部材（１５）を上面に備えた回動アーム（ｂ）と、
<iii> レール（１８ｂ，１８ｂ）を上記回動アーム（ｂ）に係合させて、その回動アーム（ｂ）の長さ方向に摺動自在にしたスライダ（１８）に、左右回転および起伏傾動自在な薄型テレビ固定用ブラケット（２１）を取り付けた薄型テレビ支持機構（ｃ）とからなることを特徴とするテレビ取付装置。
【請求項３】
薄型テレビ支持機構（ｃ）のスライダ（１８）が、主板（１８ａ）の上面の左右両縁に上記回動アーム（ｂ）の左右両縁に係合する鉤型のレール（１８ｂ，１８ｂ）を形成するとともに、上記主板（１８ａ）の下面の吊下げ軸（１９）に薄型テレビ固定用ブラケット（２１）を左右回転および起伏傾動等を自在にして取り付けてなることを特徴とする請求項１または２記載のテレビ取付装置。
【請求項４】
上記回動アーム支持機構（ａ）が、取付板（４）とその取付板（４）の上面側に取り付け固定されるようにした上板（７）とからなることを特徴とする請求項１，２または３記載のテレビ取付装置。
【請求項５】
テレビ取付空間（４５）の上方にテレビ支持板（４７）を支持してなる収納棚に、請求項１，２，３または４記載のテレビ取付装置（Ａ）を、上記テレビ支持板（４７）に上記回動アーム支持機構（ａ）を固定することにより取り付けたことを特徴とするテレビ取付装置を備えた収納棚。
【発明の詳細な説明】
【技術分野】
【０００１】
本発明は、液晶テレビ，プラズマテレビ等の薄型テレビ（コンピュータ用薄型ディスプレイを含む）を床頭台その他の収納棚に取り付けるためのテレビ取付装置およびこれを備えた収納棚に関する。
【背景技術】
【０００２】
従来、床頭台等の収納棚に薄型テレビを取り付けるテレビ取付装置として、図11,12に示したようなものが知られている（特許文献１）。
このテレビ取付装置100は、概括的には、ガイドレール101,101（一方のみ図示した）と、このガイドレール101,101に沿って前後方向に摺動するＸガイド102と、このＸガイド102に沿って左右方向に摺動する摺動部材103と、この摺動部材103の下端に取り付けられたプレート104と、該プレート104の下面に回転自在にして取り付けられたブラケット105と、このブラケット105の下方沿設部106,106に回転自在にして取り付けた回転板107，107（一方のみ図示した）と、これら回転板107，107に対して取り付けたテレビ保持部材108からなる。
【０００３】
そして、上記プレート104のブラケット105に対向する面に所定角度間隔で複数の凹部104'……を形成し、また、上記回転板107,107の上記下方沿設部106,106に対向する面にも所定角度間隔で複数の凹部107'……を形成し、それら凹部104'……，107'……の位置にボール109……およびスプリング110……を組み込んでおり、これらによって、上記ブラケット105および回転板107,107（テレビ保持部材108）の回転を所定の角度間隔ごとに阻止するクリック機構を構成している。
【０００４】
上記テレビ取付装置100は、土台部111と１対の支持部材112,112と天井部113とからなりキャビネット114の上に設置された中空箱形の床頭台115に取り付けられて、上記テレビ保持部材108に固定した薄型テレビ116を前後左右に移動自在にするとともに、起伏回動および左右回転を自在にしたものである。
【特許文献１】特開平11-276530号公報
【発明の開示】
【発明が解決しようとする課題】
【０００５】
しかし、このテレビ取付装置100は上記のボール109……やスプリング110……等の微細な部品の組込みに手間がかかるもので、また、床頭台115への取付作業は、該床頭台115の上記支持部材112,112の対向位置にガイドレール101,101を固定した上で、予め摺動部材103を挿通しておいたＸガイド102の両端を上記ガイドレール101,101に支持させるというように、組み立てながら行わざるを得ず煩雑なものである。
【０００６】
そこで本発明は、収納棚への取付け作業が容易なテレビ取付装置、およびこれを備えた収納棚を提供することを課題とする。
【課題を解決するための手段】
【０００７】
請求項１記載の本発明は、回動アーム支持機構ａに回動アームｂを左右回動自在にして取り付けるとともに、左右回転および起伏傾動自在な薄型テレビ固定用ブラケット２１をスライダ１８に取り付けた薄型テレビ支持機構ｃを、上記スライダ１８のレール１８ｂ，１８ｂを上記回動アームｂに係合させて、その回動アームｂに対し前後摺動自在に取り付けてなるテレビ取付装置である。
【０００８】
請求項２記載の本発明は、<i> 軸受部１とその前方に連設され左右後方へ湾曲しながら延びる円弧部３とを有する回動アーム支持機構ａの取付板４と、<ii> 上記取付板４に上記軸受部１を支点に左右回動自在にして取り付けられ、かつ、上記円弧部３に係合する係合部材１５を上面に備えた回動アームｂと、<iii> レール１８ｂ，１８ｂを上記回動アームｂに係合させて、その回動アームｂの長さ方向に摺動自在にしたスライダ１８に、左右回転および起伏傾動自在な薄型テレビ固定用ブラケット２１を取り付けた薄型テレビ支持機構ｃとからなるテレビ取付装置である。
【０００９】
請求項３記載の本発明は、薄型テレビ支持機構ｃのスライダ１８が、主板１８ａの上面の左右両縁に上記回動アームｂの左右両縁に係合する鉤型のレール１８ｂ，１８ｂを形成するとともに、上記主板１８ａの下面の吊下げ軸１９に薄型テレビ固定用ブラケット２１を左右回転および起伏傾動等を自在にして取り付けてなる請求項１または２記載のテレビ取付装置である。
【００１０】
請求項４記載の本発明は、上記回動アーム支持機構ａが、取付板４とその取付板４の上面側に取り付け固定されるようにした上板７とからなる請求項１，２または３記載のテレビ取付装置である。
【００１１】
請求項５記載の本発明テレビ取付装置を備えた収納棚は、テレビ取付空間４５の上方にテレビ支持板４７を支持してなる収納棚に、請求項１，２，３または４記載のテレビ取付装置Ａを、上記テレビ支持板４７に上記回動アーム支持機構ａを固定することにより取り付けたものである。
【発明の効果】
【００１２】
本発明テレビ取付装置は、従来のテレビ取付装置よりも容易に収納棚への取付けが行える。
【００１３】
本発明テレビ取付装置を備えた収納棚は、収納棚に対して上記テレビ取付装置を取り付けることにより簡単に製作することができる。
【発明を実施するための最良の形態】
【００１４】
回動アーム支持機構ａに回動アームｂを左右回動自在にして取り付けるとともに、左右回転および起伏傾動自在な薄型テレビ固定用ブラケット２１をスライダ１８に取り付けた薄型テレビ支持機構ｃを、上記スライダ１８のレール１８ｂ，１８ｂを上記回動アームｂに係合させて、その回動アームｂに対し前後摺動自在に取り付けてなるテレビ取付装置。
【００１５】
テレビ取付空間４５の上方にテレビ支持板４７を支持してなる収納棚に、上記のテレビ取付装置Ａを、上記テレビ支持板４７に上記回動アーム支持機構ａを固定することにより取り付けた、テレビ取付装置を備えた収納棚。
【実施例】
【００１６】
以下、本発明の実施例について図１〜１０により詳しく説明する。
Ａは、回動アーム支持機構ａに左右回動自在にして回動アームｂを取り付けるとともに、この回動アームｂに、その長さ方向（前後方向）に摺動自在にして薄型テレビ支持機構ｃを取り付けてなるテレビ取付装置である。
【００１７】
上記回動アーム支持機構ａは、該テレビ取付装置Ａを床頭台等の収納棚の所要の位置に取り付けるためのもので、それは、平面ほぼ円形の軸受部１とその前側の幅細部２と該幅細部２の前端に連設され左右後方へ湾曲しながら延びる円弧部３とを有する平面錨形の取付板４の上記円弧部３の前縁下面に、平面円弧状の懸架部材５を添設しているとともに、上記円弧部３の上面側に、該円弧部３とほぼ同形同大の上板７を、スペーサ６……を介すことにより所要の間隔を空けた状態にしてネジにより取り付け固定しているものである。
なお、上記スペーサ６……は、その高さを後記のテレビ支持板４７の厚さと同じにした柱状をなすものである。
８，８は、上記取付板４の円弧部３の左右両端を下方に垂下させてなるストッパである。
また、９は、上記軸受部１の下面に設けた回動アーム用軸である。
【００１８】
上記回動アームｂは、上記回動アーム支持機構ａの幅細部２よりも長い細長板状をなすもので、その上下面は平坦になっている。
【００１９】
この回動アームｂは、後部に開設した挿通孔を、上記回動アーム支持機構ａの回動アーム用軸９に嵌合させ、下面側より皿バネ（図示しない）を介挿してナット１３を緊締することにより、上記回動アーム支持機構ａに取り付けられており、該回動アーム支持機構ａに対して、左右の上記ストッパ８，８に当接する角度までの範囲内において、上記回動アーム用軸９を支点に左右回動自在になっている。
また、上記の通り皿バネを介挿してナット１３を緊締しているので、その皿バネの摩擦力により、該回動アームｂは任意の位置に静止させることができるようになっている。
【００２０】
１４は、上記回動アーム軸９の位置において上記回動アームｂと上記回動アーム支持機構ａとの間に介挿された樹脂製の緩衝材で、これによって、回動アームｂの回動時の摩擦音を低減するとともに両者の摩耗を防ぐようになっている。
【００２１】
１５は、上記回動アームｂの上面に取り付けられた、係合部材である。これは、その先端部を、上記回動アーム支持機構ａの円弧部３の外縁すなわち懸架部材５の外縁に係合させている。
【００２２】
１６は、回動アームｂの上面の上記懸架部材５に対向する位置に取り付けられた樹脂製の緩衝材、１７は、上記の係合部材１５の先端部の下面の上記懸架部材５に対向する位置に取り付けられた樹脂製の緩衝材である。
これら緩衝材１６，１７も、上記緩衝材１４と同様に回動アームｂの回動時の摩擦音の低減を図るとともに、回動アームｂおよび懸架部材５の摩耗を防ぐものである。
【００２３】
上記薄型テレビ支持機構ｃは、概括的には、上記回動アームｂにその長さ方向に摺動自在に嵌合しているスライダ１８の下面に垂下させた吊下げ軸１９に対して、回転部材２０を左右回転自在にして取り付け、さらに、この回転部材２０に対して起伏傾動自在にして薄型テレビ固定用ブラケット２１を取り付けてなるものである。
【００２４】
上記スライダ１８は、主板１８ａの上面の左右両縁に鉤型のレール１８ｂ，１８ｂを形成したもので、そのレール１８ｂ，１８ｂを上記回動アームｂの左右両縁に係合させることにより、その長さ方向（前後）に摺動自在に嵌合しているものである。
なお、スライダ１８の回動アームｂに当接する部分、すなわち、該回動アームｂの上面に当接する上記レール１８ｂ，１８ｂの内面には、該スライダ１８の滑りを良くし、また摩擦音の発生を防止する樹脂製の緩衝材（図示しない）を取り付けておくのが好ましい。
【００２５】
２３は、スライダ１８の抜け落ちを防止するために回動アームｂの前端に取り付けられたストッパである。
【００２６】
上記回転部材２０は、軸方向に貫通した中心孔２０’を有する筒体の対向側面を切り欠いて平坦面２４，２４を形成し、その平坦面２４，２４より該中心孔２０’へ貫通したボルト孔２０”，２０”を有しているもので、上記中心孔２０’を上記吊下げ軸１９に嵌合させ、該吊下げ軸１９の下端にナット１９’を緊締することにより、左右回転を自在にして該吊下げ軸１９に取り付けられている。
【００２７】
２６は、上記吊下げ軸１９の基端のボス部と上記回転部材２０との間に介挿された皿バネで、この摩擦力によって、回転部材２０は任意の位置に静止させることができるようになっている。
【００２８】
上記薄型テレビ固定用ブラケット２１は、薄型テレビを取り付けるための複数のネジ孔２７……を所要の配置にして開設した縦長のテレビ取付片２８の一側縁部の後面側に回転部材取付片２９を連設した、断面Ｌ形の左右対称形状の一対のブラケット片３０，３０と、それらブラケット片３０，３０の間に固定された磁石吸着部材３１とからなる金属製のものである。
【００２９】
この薄型テレビ固定用ブラケット２１は、上記回転部材取付片２９，２９において、上記ボルト孔２０”，２０”に側方から螺合したボルト３２，３２によって、無段階に起伏傾動できるようにして、すなわち、テレビ取付片２８，２８を垂直にした吊下起立状態（図１〜４）からそのテレビ取付片２８，２８を水平にした折り畳み状態まで無段階に傾動できるようにして上記回転部材２０に取り付けられている。
【００３０】
３３，３３は、上記回転部材取付片２９，２９と回転部材２０の平坦面２４，２４との間に介挿された皿バネで、この摩擦力によって、薄型テレビ固定用ブラケット２１は任意の位置に静止させることができるようになっている。
【００３１】
３４は、上記回転部材２０の上端部に取り付けた磁石ブラケットである。それは、前端側に形成した嵌合片３５，３５を上記回転部材２０の平坦面２４，２４に嵌合させた状態で取り付けられて、これにより、常に上記回転部材２０とともに（したがってまた薄型テレビ固定用ブラケット２１とともに）、吊下げ軸１９に対して左右回転するようになっている。
【００３２】
３６は、磁石ブラケット３４の下面に配設された磁石で、それは、上記薄型テレビ固定用ブラケット２１を折り畳み状態にしたときにその磁石吸着部材３１が当接し、これを磁力によって吸着固定するようになっている。
【００３３】
Ｂは、内部に複数の引出しあるいは棚等を備えた箱状の下側収納部４０の上方に、該下側収納部４０の上面の左右縁および後縁に立設された支持板部４１〜４３に支持された同じく箱状の上側収納部４４を備え、それら下側収納部４０と上側収納部４４との間を、前面と左右側面の前半部とを開放したテレビ取付空間４５としている床頭台である。
４６……は、上記下側収納部４０の下面に取り付けられ該床頭台Ｂを移動自在に支持するキャスターである。
【００３４】
上記テレビ取付装置Ａは、テレビ取付空間４５上に支持されている上記上側収納部４４の底板（テレビ支持板）４７の所要位置に開設した通孔（図示していない）に上記回動アーム支持機構ａのスペーサ６……を嵌合させるとともに、該底板４７の上下に上記回動アーム支持機構ａの上板７と取付板４とを位置させて固定することにより、この床頭台Ｂに取り付けられている。
【００３５】
したがって、テレビ取付装置Ａは、回動アーム支持機構ａの上板７以外の部分を予め一体に組み立てておき、床頭台Ｂへの取付けに際しては、その一体に組み立てたものを、上記底板４７上に配置した上板７に対してネジ止めするだけでよいから、従来のテレビ取付装置100が、床頭台115の上記支持部材112,112の対向位置にガイドレール101,101を固定させた上で、予め摺動部材103を挿通しておいたＸガイド102の両端を上記ガイドレール101,101に支持させるというように組み立てながらの取付け作業を行わざるを得なかったのに比べ、格段に容易に取付けが行えるものである。
【００３６】
薄型テレビＣは、上記テレビ取付装置Ａの薄型テレビ固定用ブラケット２１に対してネジ止めされており、上記薄型テレビ支持機構ｃを回動アームｂに対してその長さ方向（前後方向）に摺動させることにより前後に移動させて位置の調整ができる（図６）。
【００３７】
上記回動アームｂを回動アーム支持機構ａに対して左右回動させれば、薄型テレビＣを左右に円弧状に移動させ、その位置を変更することができる（図７，８）。
この左右への移動は、図７，８に示すように、上記床頭台Ｂの左右外方の位置まで行えるようになっており、従来のテレビ取付装置100が、上記支持部材112,112の範囲内において薄型テレビを左右移動できるようにしているだけであったのに比べ、移動範囲が大きくなっている。
【００３８】
なお、回動アームｂは、上記のとおり係合部材１５を有しており、これを回動アーム支持機構ａの懸架部材５に係合させているから、重量のある薄型テレビＣを吊り下げた場合でもたわまないようになっており、また、上記回動アーム用軸９に過度の負荷がかかることがないようになっている。
【００３９】
上記回転部材２０をスライダ１８の吊下げ軸１９に対して回転させれば、薄型テレビＣの向きを左右方向に調整することができる。
【００４０】
また、薄型テレビ固定用ブラケット２１を回転部材２０に対して起伏傾動させることにより、その画面の起伏方向の向きを調整することができる。
該薄型テレビＣを後方に一杯に傾動させて折り畳み水平状態とすると、上記磁石３６が磁石吸着部材３１を吸着固定するので、該薄型テレビ固定用ブラケット２１が不用意に下方に傾動して該薄型テレビＣが不用意に落下することがない（図１０）。
【００４１】
このように上記薄型テレビＣは、床頭台Ｂのテレビ取付空間４５内に、前後移動、円弧状の左右移動、左右回転、および起伏傾動を自在にして吊り下げられた状態になっており、その画面が見易い位置および向きになるよう自在に調整できる。
【００４２】
上記では、テレビ取付装置Ａの回動アーム支持機構ａを、上板７と取付板４とを有するものとして説明したが、上記上板７を省略することもできる。この場合、テレビ取付装置Ａは、取付板４を床頭台Ｂの上側収納部４４の底板４７の下面に直接ネジ止め等することにより、該床頭台Ｂに取り付けることができる。
【００４３】
上記薄型テレビ固定用ブラケット２１は、スライダ１８に対してボールジョイント等により左右回転や起伏傾動等を自在にして取り付けるようにしてもよい。このようにすれば、より簡単な構造となるので、製作コストをより低減できる。
【００４４】
また、床頭台としては、箱状の下側収納部の上面に、たとえばその上面の左右縁および後縁に立設された３枚の支持板部に上板（テレビ支持板）のみを支持させ、その下側収納部と支持板と上板とに囲まれるスペースをテレビ取付空間としたものであってもよい。
このような、上側収納部を有していない床頭台の場合、テレビ取付装置は、支持板部に支持されたテレビ取付空間上に支持された上板に対して、同様に取り付ければよい。
【００４５】
また、テレビ取付装置Ａは、床頭台に限らず、食器棚や本棚など他の各種収納棚をテレビ支持板とし、これに取り付けて使用することもできる。
【図面の簡単な説明】
【００４６】
【図１】本発明の実施例に係るテレビ取付装置を示した斜視図である。
【図２】その底面図である。
【図３】その要部側面図である。
【図４】図３のI-I線における縦断面図である。
【図５】上記テレビ取付装置を取り付けた床頭台の正面図で、薄型テレビを正面に向けた状態を示す。
【図６】その側面図である。
【図７】その平面図である。
【図８】その薄型テレビを側方に向けた状態を示した正面図である。
【図９】その側面図である。
【図１０】その薄型テレビを折り畳んだ状態を示した側面図である。
【図１１】従来のテレビ取付装置を示した分解斜視図である。
【図１２】上記従来のテレビ取付装置を取り付けた床頭台の斜視図である。
【符号の説明】
【００４７】
Ａ    テレビ取付装置
Ｂ    床頭台（収納棚）
Ｃ    薄型テレビ
ａ    回動アーム支持機構
ｂ    回動アーム
ｃ    薄型テレビ支持機構
１    軸受部
２    幅細部
３    円弧部
４    取付板
５    懸架部材
６    スペーサ
７    上板
８    ストッパ
９    回動アーム用軸
15    係合部材
18    スライダ
20    回転部材
21    薄型テレビ固定用ブラケット
40    下側収納部
41〜43    支持板部
44    上側収納部
45    テレビ取付空間
47    底板（テレビ支持板）
【図１】
2007209622.tif 000003
【図２】
2007209622.tif 000004
【図３】
2007209622.tif 000005
【図４】
2007209622.tif 000006
【図５】
2007209622.tif 000007
【図６】
2007209622.tif 000008
【図７】
2007209622.tif 000009
【図８】
2007209622.tif 000010
【図９】
2007209622.tif 000011
【図１０】
2007209622.tif 000012
【図１１】
2007209622.tif 000013
【図１２】
2007209622.tif 000014